(57)【要約】      （修正有）【課題】埋設管の管低口高さを水準測量の一連の流れ作業として測定できる測量用箱尺の補助測定装置を提供する。【解決手段】管低口に球体を当接し、球体と一体となり斜め縦方向に移動する部材と水平方向に伸縮する部材を固定し一体化させ、水平部材の上端部に円形の水準器を取付け、当接部と相反する側にある水平部材と垂直に交わる丸棒状ネジボルトは、Ｕ字形状の支持受台とその両壁に接続している丸棒状の部材と連結しており、それを反力として丸棒状ネジボルトにはめこんだナット状の回転ネジと水平部材を支える部材により水平部材の端を上下させ、水平部材の長軸方向の水平を水準器の気泡により保ち、又長軸方向と直角方向はマンホール底部にいる人力により、丸棒状ネジボルトの取って部を持って固定し水平を保つ。水平状態において水平部材の上端に測量用箱尺を自由な方向から自重をかけて当接でき、地表の水準測量の流れで視準ができる。【選択図】図２
2007033172.tif 000002
【特許請求の範囲】
【請求項１】
当接部が球面となっている部材と、一体となっている斜め縦方向に上下移動する目盛表示のある第1脚部材と、測量用箱尺を当接する水平部材と、水平部材に取付けた水準器と、水平部材の端を上下させる、第2脚部材である、丸棒状のネジボルトと、上下に移動するナット状の回転調整ネジと、Ｕ字形状の支持受台とを具備する、測量用箱尺の補助測定装置。
【発明の詳細な説明】
【技術分野】
【０００１】
この発明は、道路工事及び下水工事等の埋設管の品質(出来形)を測るものであり、土木建設の技術分野に関するものである。
【背景技術】
【０００２】
特開平10-132567号公報（以下、特許文献１という）には、第0001〜第0008段落、又第0009段落の実施の形態の記載がある。
特開平8-159770号公報（以下、特許文献2という）には、第0006段落の実施例の記載がある。
【特許文献１】特開平10-132567号公報
【特許文献２】特開平8-159770号公報
【発明の開示】
【発明が解決しようとする課題】
【０００３】
しかしながら、特許文献１の埋設管の施工高さ測定装置は専用の箱尺と一体となっており、S字形状なので地表において、埋設管菅口の基準高を測定するには、求点への当接も困難であり、箱尺を鉛直にセットするには、鉛直を保持しようとする力の配分が難しいという、使いやすさの面でも問題点がある、地上の水準測量で使用した測量用箱尺と異なる箱尺を用いれば、その誤差の範囲も異なってくる。
又、特許文献2の箱尺の保持装置であるが、測量用箱尺を使用する点では同じであるが、その装置は、当接位置より下側に空間が存在しなければ管低口の測定ができないという問題点がある。
本発明は、埋設管の管低口を当接する測定装置と測量用箱尺を用いて、管低口の基準高さを水準測量の一連の流れ作業として正確に迅速に測定できるようにする、測量用箱尺の補助測定装置を提供することを目的とする。
【課題を解決するための手段】
【０００４】
本発明は、上記課題を解決するものであり、あくまで測量用箱尺を使用して地表の水準測量と同じ箱尺を用いて一連の作業として、正確に迅速にするために次のような測定装置を創作する。管低口には、球体を当接し、球体と一体となっている斜め縦方向に移動する部材と水平方向に伸縮する部材を固定し一体化させ、水平部材の上端部には、円形の水準器を取付け、水平を保つには二点支持により、当接部と相反する側にある水平部材と垂直に交わる丸棒状ネジボルトはＵ字形状の支持受台とその両壁に接続している丸棒状の部材と連結しており、それを反力として丸棒状ネジボルトにはめこんだナット状の回転ネジと水平部材を支える部材により水平部材の端を上下させ、水平部材の長軸方向の水平を水準器の気泡により水平に保ち、又長軸方向と直角方向については、マンホール底部にいる人力により、丸棒状ネジボルトの取って部を持って固定し水平を保つ。水平状態において、水平部材の上端に測量用箱尺を自由な方向から自重をかけて当接でき、地表の水準測量の流れで視準ができる。又単体であるのでマンホール毎にセットすれば更に早く、正確に測定作業ができることを特徴としている。
【０００５】
当接部が球面となっており、埋設管の菅口も円形状なので当接しやすい。
【０００６】
斜め縦方向に移動する部材には目盛が表示しており、その目盛を地表で水平部材に合わせておくことにより、測量用箱尺の読取目盛にプラスして、基準高を直ちに知ることができる
【０００７】
斜め縦方向に移動する部材と、接続している水平方向と伸縮させる水平部材は、ネジにより押圧され固定できる、又水平方向の伸縮もネジにより固定できて、その水平部材の上端には円形水準器を有している。
【０００８】
水平部材と垂直に連結している丸棒状のネジボルトは、上端部が一部取っ手となっている、その下方のネジ部には、ナット状の回転して上下させる調整ネジと、支え部材を有し、水平を調整し保つ。
【０００９】
丸棒状のネジボルトは、その下端部をＵ字形状の支持受台の両壁と接続している丸棒状の部材と連結している、丸棒状の部材はネジボルトの中をわずかな隙間を持って貫通しているために、支持受台の低板はある程度自由な角度で接地できる。
【発明の効果】
【００１０】
本測定装置を用いれば、当接点が円形なので球面とのなじみもよく、開口部鉛直下まで水平に延長させ、二点支持されているので、測量用箱尺の当接も自重をかけて自由な方向から接地でき埋設管の管低口の基準高測定も容易にできる。又単体なので複数使用すれば、地表の水準測量の一連の流れ作業で視準することができて正確に迅速に測定作業が可能となる。
【発明を実施するための最良の形態】
【００１１】
本発明の実施形態について、図１〜図6にて説明するが、概要説明として、図1は水準測量の測定作業としてセットされた状態を示す、管低口70に球対11を当接する。円形水準器25により部材20の水平を、丸棒状のネジボルト33とナット形の回転ネジ32と支持受台34等により保ち、その上端部にマンホール71の開口部74より挿入した測量用箱尺40を当接させてスコープ付測定機械73で視準し、管低口の基準高さを決定する。    
【００１２】
以下、当接球体と一体である斜め上下に移動する第1脚部材全体10、円形水準器と一体である水平方向に伸縮する水平部材全体20、水平を調節する丸棒状のネジボルト部と上下に移動するナット状の回転調整ネジと、Ｕ字形状の支持受台の第2脚部材全体30等を主要部として構成される。
【００１３】
図1の円形管低口70に球体11を当接する。球体11と一体となっている部材14には管低口の求点と平行になる目盛12を表示し、マンホール底部に多少の凹凸があっても二点支持なので思う位置に据付けることができる。又地表で事前にあわせて把握することにより、基準高測定時に時間の節約ができる。
【００１４】
図2にて、部材14と部材21について説明する。斜め上下に移動する部材14は水平をなす部材21の中を貫通しており、表示目盛の合わせ方は、マンホールの個別毎に調整でき、求点と平行なす目盛12を水平をなす部材21の上端に合わせて、ネジ13により固定する。固定の方法は図3にて説明する、ネジ頭部13とボルト部15と押圧板16が一体になっている、それを総合してネジ13と表す、ネジ頭部13を回転させることによりボルト部15が押圧板16を押して、押圧板16は斜め縦方向に移動する部材14を水平部材21に圧着させ固定する、上下移動時は押圧板16と部材21の間にネジ頭部13を反対回転させることにより隙間を作り上下移動させる。
【００１５】
図2と図4にて水平をなす部材21と22を説明する。水平をなす部材21と同じく水平をなす部材22は伸縮ができ、部材21は部材22の中に挿入され、部材22により四面とも囲まれている、水平方向に延長させる長さについては、図1のマンホール71の開口部74から測量用箱尺を鉛直に据付けるのに適した位置まで、延長させ固定ネジ23と固定ネジ24にて固定する。ネジの固定方法を図4で説明する。ネジ頭部23とボルト部26と押圧板27とが一体となっている、これを総合してネジ23と表す。まずネジ頭部23を回転させることによりボルト部26が押圧板27を前向きに押す、それにより水平部材21は、水平部材22と圧着させられ、さらにネジ23と同じ構造を持つネジ24も同作業により、ボルト部28が押圧板29を押して水平部材21と22を圧着させ固定し、一体となる。ネジ頭部23を反対回転させることにより押圧板27と水平部材21との間わずかな隙間を作り伸縮可能となる、ネジ24も同様にして、押圧板29と水平部材21との間にわずかな隙間をつくり伸縮できる。
【００１６】
次にネジ23とネジ24により、水平部材21と22が一体となり、その上部に取付けられた円形水準器25により水平を保つには図2で説明する。上記により斜め上下に移動する部材14と水平部材21と22が一体となった時点で、二点支持により、球体1の当接部と相反する側にある水平部材22と垂直関係にある、丸棒状ネジボルト33と調整ナット32とそのナット上にあり水平部材22をささえる筒形部材31により、水平部材22の右端を上下運動させ、水準器25により水平を保ち、それと直角方向については、マンホール底部にいる人により、取って部36を持って調整し水平を保つ。
尚、丸棒状ネジボルト33は水平部材22の右端部をわずかな隙間を持って貫通し、取っ手部36と一体となっている。
【００１７】
次に図5のＵ字形状の支持受台34の両側の壁部に接続された、丸棒状の部材35は、支持受台の底板と平行であり、上記の丸棒状ネジボルト33と連結している、丸棒状の部材35は丸棒状ネジボルト33の中をわずかな隙間を持って貫通しているために自在に可動できる。支持受台34はそれにより、ある程度自由な角度で接地させ、支持できる。
【産業上の利用可能性】
【００１８】
測量用箱尺と併用して、埋設管等の管低口の基準高測定装置に関する。
【図面の簡単な説明】
【００１９】
【図１】マンホールの中において、管低口に測定装置をセットし、地表の水準測量による視準した状態を示した正面図である。
【図２】測定装置の全体図の正面図
【図３】当接部分と水平部材の固定部の断面拡大図
【図４】水平部材の伸縮部分の断面拡大図
【図５】丸棒状のネジボルトと支持受台の斜図
【図６】測量用箱尺を水平部材に当接した側面図
【符号の説明】
【００２０】
10  球体と一体である斜め上下に移動する第1脚部材全体
11  当接部材
12  目盛
13  固定ネジ
14  水平部材と接続する斜め上下に移動する部材
15  固定ネジボルト
16  押圧板
20  水準器と一体である水平方向に伸縮する水平部材全体
21  水平に伸縮する、14の部材と固定され一体となる
22  21の部材を囲み伸縮させる水平部材。測量用箱尺の当接部
23  固定ネジ頭部
24  固定ネジ頭部
25  円形水準器
26  固定ネジボルト
27  押圧板
28  固定ネジボルト
29  押圧板
30  水平を調節する丸棒状のネジボルト部と支持受台の第2脚部材全体
31  水平部材を支える筒形部材
32  水平を調節するナット状の回転ネジ
33  丸棒状のネジボルト
34  Ｕ字形状の支持受台
35  丸棒状ネジボルトを貫通し支持受台低板と平行している丸棒状部材
36  丸棒状のネジボルトと一体になっている取っ手部
70  当接する求点
71  マンホール躯体
73  スコープ付測定機械（水準測量用）
74  マンホールの開口部
40測量用箱尺
41  箱尺の目盛
【図１】
2007033172.tif 000003
【図２】
2007033172.tif 000004
【図３】
2007033172.tif 000005
【図４】
2007033172.tif 000006
【図５】
2007033172.tif 000007
【図６】
2007033172.tif 000008